【手続補正書】
【提出日】令和1年7月10日(2019.7.10)
【手続補正１】
【補正対象書類名】特許請求の範囲
【補正対象項目名】全文
【補正方法】変更
【補正の内容】
【特許請求の範囲】
【請求項１】
無線通信システムにおいて、ＵＥ（User Equipment）が上りリンク信号を送信する方法であって、
前記ＵＥがタイミングアドバンス操作を実行するためのインデックス値に関連したＴＡ（Timing Advance）コマンドを含むＲＡＲ（Random Access Response）メッセージを受信し、
（ｉ）前記ＴＡコマンド、及び、（ｉｉ）前記ＲＡＲメッセージの受信の後に最初に送信される上りリンクチャンネルの副搬送波間隔に基づいて、前記タイミングアドバンス操作のためのＴＡ値を決定し、
前記ＴＡ値に基づいた前記タイミングアドバンス操作に応じて、前記上りリンク信号を送信することを含む、方法。
【請求項２】
前記ＲＡＲメッセージの前記受信の後に最初に送信される前記上りリンクチャンネルの前記副搬送波間隔に基づいて前記ＴＡ値の基本単位を決定することをさらに含み、
前記タイミングアドバンス操作のための前記ＴＡ値を決定することは、（ｉ）前記ＴＡコマンド、及び、（ｉｉ）前記ＴＡ値の前記基本単位に基づいて、前記ＴＡ値を決定することを含む、請求項１に記載の方法。
【請求項３】
前記ＴＡ値は、（ｉ）前記ＴＡコマンドによって示される値の増加に伴って増加し、（ｉｉ）前記副搬送波間隔の増加に伴って減少するように設定される、請求項１に記載の方法。
【請求項４】
無線通信システムにおいて、上りリンク信号を送信するように設定されるＵＥ（User Equipment）であって、
トランシーバーと、
少なくとも一つのプロセッサーと、
前記少なくとも一つのプロセッサーと動作可能に接続可能であり、命令を格納する少なくとも一つのコンピュータメモリと、を含み、
前記命令は、実行されたときに、
前記ＵＥがタイミングアドバンス操作を実行するためのインデックス値に関連したＴＡ（Timing Advance）コマンドを含むＲＡＲ（Random Access Response）メッセージを受信するように前記トランシーバーを制御し、
（ｉ）前記ＴＡコマンド、及び、（ｉｉ）前記ＲＡＲメッセージの受信の後に最初に送信される上りリンクチャンネルの副搬送波間隔に基づいて、前記タイミングアドバンス操作のためのＴＡ値を決定し、
前記ＴＡ値に基づいた前記タイミングアドバンス操作に応じて、前記上りリンク信号を送信するように前記トランシーバーを制御する、
ことを含む操作を前記少なくとも一つのプロセッサーに実行させる、ＵＥ。
【請求項５】
前記操作は、前記ＴＡ値の基本単位を決定することが、前記ＲＡＲメッセージの前記受信の後に最初に送信される前記上りリンクチャンネルの前記副搬送波間隔に基づいて決定されることをさらに含み、
前記タイミングアドバンス操作のための前記ＴＡ値を決定することは、（ｉ）前記ＴＡコマンド、及び、（ｉｉ）前記ＴＡ値の前記基本単位に基づいて、前記ＴＡ値を決定することを含む、請求項４に記載のＵＥ。
【請求項６】
前記ＴＡ値は、（ｉ）前記ＴＡコマンドによって示される値の増加に伴って増加し、（ｉｉ）前記副搬送波間隔の増加に伴って減少するように設定される、請求項４に記載のＵＥ。
【請求項７】
無線通信システムにおいて、ＵＥ（User Equipment）が上りリンク信号を送信する方法であって、
前記ＵＥがタイミングアドバンス操作を実行するためのインデックス値に関連したＴＡ（Timing Advance）コマンドを含む下りリンクチャンネルを受信し、
（ｉ）前記ＴＡコマンド、及び、（ｉｉ）前記ＵＥの複数の上りリンク帯域幅パートの副搬送波間隔の値の中の最大値に基づいて、前記タイミングアドバンス操作のためのＴＡ値を決定し、
前記ＴＡ値に基づいた前記タイミングアドバンス操作に応じて、前記上りリンク信号を送信することを含む、方法。
【請求項８】
前記副搬送波間隔の値の中の前記最大値に基づいて前記ＴＡ値の基本単位を決定することをさらに含み、
前記タイミングアドバンス操作のための前記ＴＡ値を決定することは、（ｉ）前記ＴＡコマンド、及び、（ｉｉ）前記ＴＡ値の前記基本単位に基づいて、前記ＴＡ値を決定することを含む、請求項７に記載の方法。
【請求項９】
前記ＴＡ値は、（ｉ）前記ＴＡコマンドによって示される値の増加に伴って増加し、（ｉｉ）前記副搬送波間隔の値の中の前記最大値の増加に伴って減少するように設定される、請求項７に記載の方法。
【請求項１０】
前記タイミングアドバンス操作のための前記ＴＡ値を決定することは、ＴＡ値の基本単位に基づいて、前記ＴＡコマンドで示される値を四捨五入することによって前記ＴＡ値を決定することを含む、請求項８に記載の方法。
【請求項１１】
ＴＡ値の前記基本単位に基づいて、前記ＴＡコマンドで示される前記値を四捨五入することによって前記ＴＡ値を決定することは、前記複数の上りリンク帯域幅パートの中の前記ＴＡ値を決定するために使用される前記副搬送波間隔の値の中の前記最大値より小さな第１副搬送波間隔を有する第１上りリンク帯域幅パートで送信される前記上りリンク信号に基づいて実行される、請求項１０に記載の方法。
【請求項１２】
無線通信システムにおいて、上りリンク信号を送信するように設定されるＵＥ（User Equipment）であって、
トランシーバーと、
少なくとも一つのプロセッサーと、
前記少なくとも一つのプロセッサーと動作可能に接続可能であり、命令を格納する少なくとも一つのコンピュータメモリと、を含み、
前記命令は、実行されたときに、
前記ＵＥがタイミングアドバンス操作を実行するためのインデックス値に関連したＴＡ（Timing Advance）コマンドを含む下りリンクチャネルを受信し、
（ｉ）前記ＴＡコマンド、及び、（ｉｉ）前記ＵＥの複数の上りリンク帯域幅パートの副搬送波間隔の値の中の最大値に基づいて、前記タイミングアドバンス操作のためのＴＡ値を決定し、
前記ＴＡ値に基づいた前記タイミングアドバンス操作に応じて、前記上りリンク信号を送信する、
ことを含む操作を前記少なくとも一つのプロセッサーに実行させる、ＵＥ。
【請求項１３】
前記操作は、前記副搬送波間隔の値の中の前記最大値に基づいて前記ＴＡ値の基本単位を決定することをさらに含み、
前記タイミングアドバンス操作のための前記ＴＡ値を決定することは、（ｉ）前記ＴＡコマンド、及び、（ｉｉ）前記ＴＡ値の前記基本単位に基づいて、前記ＴＡ値を決定することを含む、請求項１２に記載のＵＥ。
【請求項１４】
前記ＴＡ値は、（ｉ）前記ＴＡコマンドによって示される値の増加に伴って増加し、（ｉｉ）前記副搬送波間隔の値の中の前記最大値の増加に伴って減少するように設定される、請求項１２に記載のＵＥ。
【請求項１５】
前記タイミングアドバンス操作のための前記ＴＡ値を決定することは、ＴＡ値の基本単位に基づいて、前記ＴＡコマンドで示される値を四捨五入することによって前記ＴＡ値を決定することを含む、請求項１３に記載のＵＥ。
【請求項１６】
ＴＡ値の前記基本単位に基づいて、前記ＴＡコマンドで示される前記値を四捨五入することによって前記ＴＡ値を決定することは、前記複数の上りリンク帯域幅パートの中の前記ＴＡ値を決定するために使用される前記副搬送波間隔の値の中の前記最大値より小さな第１副搬送波間隔を有する第１上りリンク帯域幅パートで送信される前記上りリンク信号に基づいて実行される、請求項１５に記載のＵＥ。